(57)【要約】      （修正有）【課題】マッサージを適切な温度状況下で行う装置を提供する。【解決手段】小型マッサージ機１は、揉み、叩き、指圧、振動の少なくとも一つの動作を発生させるマッサージ機構２と、このマッサージ機構２を収納した状態で据え置きを可能にするケーシング３と、このケーシング３の表面に配置されて前記マッサージ機構２により発生される動作を行う動作体４とを有しており、前記ケーシング３における表面の一部又は全部を覆うカバー体１２と、このカバー体１２とケーシング３との間へ温風又は冷風を供給する温冷風供給部とを有している。【選択図】図１
2009268628.tif 000002
【特許請求の範囲】
【請求項１】
揉み、叩き、指圧、振動の少なくとも一つの動作を発生させるマッサージ機構と、このマッサージ機構を収納したケーシングと、このケーシングの表面に配置されて前記マッサージ機構により発生された動作を使用者に伝える動作体と、を有する小型マッサージ機において、
前記ケーシングの表面の一部又は全部を覆うカバー体と、このカバー体の裏面側へ温風又は冷風を供給する温冷風供給部と、を有していることを特徴とする小型マッサージ機。
【請求項２】
前記ケーシングの表面には、前記動作体が配置されたマッサージ部と、このマッサージ部に隣接する非マッサージ部とが設けられており、
前記カバー体はマッサージ部を覆う配置で設けられていて、
前記温冷風供給部は、前記カバー体とマッサージ部との間に温風又は冷風を供給するように構成されていることを特徴とする請求項１に記載の小型マッサージ機。
【請求項３】
前記温冷風供給部は、前記カバー体とマッサージ部を構成するカバー体とで形成された二重構造の間に温風又は冷風を供給するように構成されていることを特徴とする請求項２に記載の小型マッサージ機。
【請求項４】
前記ケーシングの表面には、前記動作体が配置されたマッサージ部と、このマッサージ部に隣接する非マッサージ部とが設けられており、
前記カバー体は非マッサージ部を覆う配置で設けられていて、
前記温冷風供給部は、カバー体と非マッサージ部との間に温風又は冷風を供給するように構成されていることを特徴とする請求項１に記載の小型マッサージ機。
【請求項５】
前記マッサージ部に配置された動作体は、主動作体と副動作体とを有しており、前記カバー体は主動作体のみを覆う配置で設けられていることを特徴とする請求項１〜３のいずれかに記載の小型マッサージ機。
【請求項６】
前記マッサージ部に配置された動作体は、主動作体と副動作体とを有しており、前記カバー体は主動作体及び副動作体を覆う配置で設けられていることを特徴とする請求項１〜３のいずれかに記載の小型マッサージ機。
【請求項７】
前記マッサージ部に配置された動作体は、主動作体と副動作体とを有しており、前記カバー体は副動作体のみを覆う配置で設けられていることを特徴とする請求項１〜３のいずれかに記載の小型マッサージ機。
【請求項８】
前記カバー体はケーシングの表面に対して着脱自在とされていることを特徴とする請求項１〜７のいずれかに記載の小型マッサージ機。
【請求項９】
前記カバー体は、前記温冷風供給部から供給される温風又は冷風を通過可能な材質で形成されていることを特徴とする請求項１〜８のいずれかに記載の小型マッサージ機。
【請求項１０】
前記カバー体は、前記温冷風供給部から供給される温風又は冷風を非通過とする材質で形成されていることを特徴とする請求項１〜８のいずれかに記載の小型マッサージ機。
【請求項１１】
前記カバー体には、温冷風供給部から供給される温風又は冷風を逃がすための排気口が設けられていることを特徴とする請求項９又は１０に記載の小型マッサージ機。
【請求項１２】
前記カバー体と動作体との間、又はカバー体とケーシングとの間に、温冷風供給部から供給される温風又は冷風を逃がすための隙間が設けられていることを特徴とする請求項９又は１０に記載の小型マッサージ機。
【発明の詳細な説明】
【技術分野】
【０００１】
本発明は、小型マッサージ機に関する。
【背景技術】
【０００２】
従来から、使用者の背部から全身にかけてのマッサージが行える椅子型マッサージ機が開発されているが、これらのマッサージ機とは別に、使用者の首、腰、下肢等の特定部位のマッサージに特化した小型マッサージ機が開発されている。これら小型マッサージ機は、多くの場合据え置きタイプであるものの、小型マッサージ機を手で持った上で使用者に対しマッサージを施術する、すなわちハンディタイプとして使用することも可能である。
小型マッサージ機の例として、使用者の下肢をマッサージできる下肢用マッサージ機が開発されており、例えば、特許文献１に示すようなものがある。
【０００３】
この下肢用マッサージ機は、左右下肢の各ふくらはぎをマッサージする第１マッサージ機構を内部に備えたレッグレスト部と、このレッグレスト部の先端側に配置され、左右下肢の各足をマッサージする第２マッサージ機構を内部に備えたフットレスト部と、レッグレスト部及び／又はフットレスト部の左右方向中央部に配置され、両マッサージ機構を同時に駆動する駆動機構とを備えている。下肢用マッサージ機では、使用者のふくらはぎや足を効果的にマッサージ可能となっている。
【特許文献１】再公表２００５／０２３１６９号公報
【発明の開示】
【発明が解決しようとする課題】
【０００４】
しかしながら、最近のユーザからの要望は多様なものがあり、例えば、下肢のマッサージを行いつつも下肢を暖めたいとの要望がある。また、特許文献１のような下肢用マッサージ機を夏に使用すると、下肢の部分が暑くて困るので対応して欲しい等の要望もある。これらの要望は、下肢用マッサージ機に限定されるものではなく、小型マッサージ機全般に対するものである。
そこで、本発明は、上記問題点に鑑み、マッサージが施術される場所（下肢に限定されない）の温度コントロールが可能となっている小型マッサージ機を提供することを目的とする。
【課題を解決するための手段】
【０００５】
前記目的を達成するために、本発明は次の手段を講じた。
すなわち、本発明に係る据置型の温熱マッサージ機は、揉み、叩き、指圧、振動の少なくとも一つの動作を発生させるマッサージ機構と、このマッサージ機構を収納したケーシングと、このケーシングの表面に配置されて前記マッサージ機構により発生された動作を使用者に伝える動作体と、を有するものであって、前記ケーシングの表面の一部又は全部を覆うカバー体と、このカバー体の裏面側へ温風又は冷風を供給する温冷風供給部と、を有していることを特徴とする。
【０００６】
好ましくは、前記ケーシングの表面には、前記動作体が配置されたマッサージ部と、このマッサージ部に隣接する非マッサージ部とが設けられており、前記カバー体はマッサージ部を覆う配置で設けられていて、前記温冷風供給部は、前記カバー体とマッサージ部との間に温風又は冷風を供給するように構成されているとよい。
さらに好ましくは、前記温冷風供給部は、前記カバー体とマッサージ部を構成するカバー体とで形成された二重構造の間に温風又は冷風を供給するように構成されているとよい。
【０００７】
また、前記ケーシングの表面には、前記動作体が配置されたマッサージ部と、このマッサージ部に隣接する非マッサージ部とが設けられており、前記カバー体は非マッサージ部を覆う配置で設けられていて、前記温冷風供給部は、カバー体と非マッサージ部との間に温風又は冷風を供給するように構成されていてもよい。
さらに、前記マッサージ部に配置された動作体は、主動作体と副動作体とを有しており、前記カバー体は主動作体のみを覆う配置で設けられていてもよい。
また、前記マッサージ部に配置された動作体は、主動作体と副動作体とを有しており、前記カバー体は主動作体及び副動作体を覆う配置で設けられていてもよい。
【０００８】
前記マッサージ部に配置された動作体は、主動作体と副動作体とを有しており、前記カバー体は副動作体のみを覆う配置で設けられていてもよい。
なお、前記カバー体はケーシングの表面に対して着脱自在とされていてもよい。
前記カバー体は、前記温冷風供給部から供給される温風又は冷風を通過可能な材質で形成されていることは好ましい。
前記カバー体は、前記温冷風供給部から供給される温風又は冷風を非通過とする材質で形成されていてもよい。
【０００９】
好ましくは、前記カバー体には、温冷風供給部から供給される温風又は冷風を逃がすための排気口が設けられているとよい。
前記カバー体と動作体との間、又はカバー体とケーシングとの間に、温冷風供給部から供給される温風又は冷風を逃がすための隙間が設けられていてもよい。
【発明の効果】
【００１０】
本発明に係る小型マッサージ機を用いることで、マッサージが施術される場所（下肢に限定されない）のマッサージが適切な温度状況下で行えるようになる。
【発明を実施するための最良の形態】
【００１１】
［第１実施形態］
図１〜図４は、本発明に係る小型マッサージ機１の第１実施形態を示している。
この小型マッサージ機１（以下、温熱マッサージ機と呼ぶこともある）は、マッサージ機構２と、このマッサージ機構２を収納した状態で据え置きを可能にするケーシング３と、このケーシング３の表面に配置された動作体４（４Ａ〜４Ｄ）とを有している。
なお、以下では説明の便宜上、図３における左右方向を「左右方向」と言い、図３における上下方向を「上下方向」と言い、図３における紙面貫通方向を「前後方向」と言う。これは、図１に示した前後方向、左右方向、上下方向と一致する。
【００１２】
第１実施形態において、動作体４は、互いに所定間隔をおいて配置された左右一対の主動作体４Ａ，４Ｂと、これらの両外側に配置された左右一対の副動作体４Ｃ、４Ｄとを有したものを示している。
主動作体４Ａ，４Ｂはそれぞれ、円形のパッド７の下面に内装された揉み玉が水平旋回する構造で、揉みによるマッサージ動作が可能となっている。また副動作体４Ｃ、４Ｄは、ケーシング３の上面略全体を覆う状態で設けられた振動盤（表面盤）８に、それぞれ、足底型の配置群を形成するように多数のツボ押し突起９が突設された構造で、振動によるマッサージ動作が可能となっている。
【００１３】
なお、振動盤８には、主動作体４Ａ，４Ｂを上方へ露出させて、それらの動きを邪魔しないようにした開口８ａ，８ｂが設けられている。
マッサージ機構２は、１台又は複数の電動モータ１０を駆動源として、この電動モータ１０の出力軸の回転が主動作体４Ａ，４Ｂや副動作体４Ｃ、４Ｄに伝達され、上記の各動作を発生させるように構成されている。
本発明に係る温熱マッサージ機１では、ケーシング３の表面に対し、動作体４を覆う状態でカバー体１２が設けられていると共に、このカバー体１２の裏面側すなわち内側へ温風又は冷風を供給する温冷風供給部１３が設けられている。この温冷風供給部１３は、カバー体１２のケーシング３に対面であって、カバー体１２とケーシング３との間に温風又は冷風を供給する構成となっている。カバー体１２は、振動盤８に対して着脱自在に取り付けられる。
【００１４】
温冷風供給部１３は、図３に示すように、ケーシング３内部に設けられたダクト２０と、このダクト２０内に設けられたファン２１と、ダクト２０内であって且つファン２１で発生される空気流の下流側となるように配置されたヒータ２２とを有している。
ダクト２０は、ケーシング３の側面部で外部へ向けてエア取り入れ口２３を開口させ、またケーシング３の略中央となる位置で上方の振動盤８へ向けて立ち上がっている。振動盤８へ至ったダクト２０の先端は、主動作体４Ａ，４Ｂのまわりに配置されたスリット状の吹き出し口２５からカバー体１２の裏側（カバー体１２と振動盤８との間）へ向けて開放されている（図１参照）。
【００１５】
従って、この温冷風供給部１３において、ヒータ２２を稼働（加熱）させたうえでファン２１を作動させれば、ダクト２０内を経て吹き出し口２５から温風が吹き出すものとなり、ヒータ２２を非稼働（非加熱）のまま単にファン２１だけを作動させれば、ダクト２０内を経て吹き出し口２５から常温の空気（冷風）が吹き出すものとなる。
カバー体１２は、第１実施形態ではケーシング３における表面の略全部（振動盤８の上面全体）を覆うようにして設けられており、このカバー体１２の下に第１及び第２の全ての動作体４Ａ〜４Ｄが含まれるようになっている。このカバー体１２の外周部は振動盤８の外周部に沿って固定的で且つ密着的に取り付けられている。
【００１６】
カバー体１２は、伸縮性や可撓性を有する布、人工皮革、レザー等で形成されており、第１、第２の動作体４Ａ〜４Ｄによるマッサージ動作を使用者へ伝えるのに邪魔とならず、また使用者との接触で、簡単には破れや裂け、摩耗が生じないようになっている。
またカバー体１２は、温冷風供給部１３から供給される温風又は冷風を非通過な材質で形成されている。そしてカバー体１２には、温冷風供給部１３から供給される温風又は冷風を逃がすための排気口２７が設けられている。
図例では振動盤８の上面側であってその左右両側縁部に沿うような配置で排気口２７が複数配置され、また各排気口２７が長方形の開口形状に形成されたものとしてある（図４参照）。しかし、排気口２７の配置や形成数、開口形状などは特に限定されるものではない。例えば丸孔を複数並べて設けるようなことも可能である。
【００１７】
このように、カバー体１２が温風又は冷風を非通過な材質である場合には、排気口２７を有し、その排気口２７は限られた開口面積を有しているため、カバー体１２の内側に温風や冷風が供給されたとき、カバー体１２は適度にバルーン状に膨らむようになる。
そのため、使用者による押し当て箇所に対し、カバー体１２が優しくフィットし、肌触りを良好にする効果が得られることになる。また、カバー体１２の内側へ吹き込まれた温風又は冷風は、カバー体１２を膨らませた状態を維持させるように滞留して、カバー体１２に対する伝熱の作用を高めて、温風の場合は加熱性や保温性を、また冷風の場合は冷却性を高めるのに有益となる。
【００１８】
なお、カバー体１２は、振動盤８の周囲に嵌り込む枠体を備え、その枠体に伸縮性や可撓性を有する布などが張り付けられた構成であってもよい。この構成であると、振動盤８に対するカバー体１２の着脱自在となり、その着脱操作が容易になる。この場合、排気口２７は枠体に形成される構成であってもよい。
次に、上記構成を具備して成る温熱マッサージ機１の使用態様を述べる。
使用者は、床上での座位、寝位、立位になるか、又は椅子座になったうえで、所望に応じて首、肩、背中、腰、脚（大腿〜脹ら脛、足首）、足裏など、任意の箇所を、主動作体４Ａ，４Ｂや副動作体４Ｃ，４Ｄに押し付けるようにする。使用者がその後、据置型の温熱マッサージ機１を作動状態とすると、マッサージ機構２がマッサージ動作をして、マッサージが開始される。
【００１９】
また、この状態で使用者が温風又は冷風を選択してその吹き出しを開始させると、図３に示すように、温冷風供給部１３から温風が供給され、吹き出し口２５を通じてカバー体１２とケーシング３との間へ温風又は冷風が吹き込まれるようになる。温風又は冷風が供給されるにつれ、カバー体１２はバルーン状に膨らんで使用者の押し当て箇所に優しくフィットするようになる。
さらに、温風や冷風はカバー体１２を介して使用者の押し当て箇所に届くようになるため、当該箇所を温めたり、冷やしたり、蒸れ感を解消したりするようになる。
【００２０】
かかる作動態様により、使用者は所望箇所を温められつつマッサージされることとなり、非常に効果的なリラックス効果を受けることができる。
なお、カバー体１２の内側へ供給された温風又は冷風は、カバー体１２を過剰に膨らませることなく排気口２７から放出されるので、カバー体１２の破損の原因になったり、使用者へ接触による不快感（硬すぎる感じ）を与えたりすることはない。勿論、マッサージ動作の伝達を妨げるものではない。
なお、マッサージ機構２と、温冷風供給部１３とは同時に作動させてもよいし、別々に作動させてもよい。温冷風供給部１３のみを作動させると、加温又は冷却装置として作用するものとなる。
【００２１】
なお、温冷風供給部１３において、吹き出し口２５の配置は特に限定されるものではない。例えば振動盤８の上面全面にわたって広く分散配置させるようにしてもよい。また、ヒータ２２と置換又は併用選択式とするようにして、ペルチエ素子などで構成された空冷部を設けると、積極的に冷風を発生させることができる。
図５に示すように、カバー体１２に対して排気口２７を設けることに代えて、カバー体１２と動作体４（副動作体４Ｃ，４Ｄの振動盤８）との間に、温冷風供給部１３から供給される温風又は冷風を逃がすための隙間３０を設けるようにしてもよい。
【００２２】
なお、副動作体４Ｃ，４Ｄは省略することが可能であり、この場合、振動盤８も無いので、カバー体１２はケーシング３の上面を略全体的に覆う状態に設けることになる。このような場合は、カバー体１２とケーシング３との間に、温冷風供給部１３から供給される温風又は冷風を逃がすための隙間３０を設けるようにすればよい。
更に、図６に示すように、動作体４（副動作体４Ｃ，４Ｄの振動盤８）に対し、温冷風供給部１３から供給される温風又は冷風を逃がすための排気部３１を設けるようにしてもよい。
【００２３】
この場合も、副動作体４Ｃ，４Ｄ（振動盤８）を省略し、ケーシング３の上面を略全体的に覆う状態にカバー体１２を設ける態様とするのであれば、ケーシング３自体に、温冷風供給部１３から供給される温風又は冷風を逃がすための排気部３１を設けるようにする。
図７に示すように、カバー体１２自体について、温冷風供給部１３から供給される温風又は冷風を通過可能な材質で形成することも可能である。この場合、排気口２７（図４参照）、隙間３０（図５参照）、排気部３１（図６参照）等は省略することも可能になる。
［第２実施形態］
図８、図９は、本発明に係る据置型温熱マッサージ機１の第２実施形態を示している。
【００２４】
第２実施形態の温熱マッサージ機１は、ケーシング３の表面に、枕型の大きな膨らみを持った主動作体４Ｅが設けられていると共に、この主動作体４Ｅの左右両側に、副動作体４Ｆ，４Ｇが設けられたものとなっている。
主動作体４Ｅは、使用者のスイッチ操作に応じて左右一対の揉み玉が揉み、叩き、指圧などの複雑なマッサージ動作をする構成となっている。また副動作体４Ｆ，４Ｇに関しては、第１実施形態で説明した副動作体４Ｃ，４Ｄの場合と略同じであり、ケーシング３の表面略全体を覆う状態で設けられた振動盤８に、それぞれ、足底型の配置群を形成するように多数のツボ押し突起９が突設された構造で、振動によるマッサージ動作が可能となっている。
【００２５】
図８に示すように、主動作体４Ｅ及び副動作体４Ｆ，４Ｇに対し、カバー体１２は、主動作体４Ｅだけを個別に覆うようにした枕カバータイプ（符号１２Ａ）を採用することが可能である。この場合、温風や冷風が吹き出すスリット状の吹き出し口２５は、主動作体４Ｅのまわりであって、カバー体１２Ａの裏面側（二重構造の間）となるような振動盤上の位置に設けられなくてはならない。
図９に示すように、主動作体４Ｅ及び副動作体４Ｆ，４Ｇに対し、カバー体１２は、これら主動作体４Ｅ及び副動作体４Ｆ，４Ｇを全体として覆うようにした一体成型タイプ（符号１２Ｂ）を採用することが可能である。
【００２６】
一体成型タイプ（１２Ｂ）の場合、主動作体４Ｅに対応した膨らみ部分３５を形成させるのが好適である。
なお、その他の構成や作用効果、及び変形実施例への展開などに関しては第１実施形態の場合と同様であり、ここでの詳説は省略する。
［第３実施形態］
図１０，図１１は、本発明に係る据置型の温熱マッサージ機１の第３実施形態を示している。
【００２７】
第３実施形態の温熱マッサージ機１は、ケーシング３の表面に、使用者の首を嵌め込んで首の両側等をマッサージ可能な「溝付きタイプの主動作体４Ｈ」が設けられていると共に、この主動作体４Ｈの前方に「小型枕タイプの第２副動作体４Ｊ」が設けられ、更に主動作体４Ｈの左右両側に「第１副動作体４Ｋ，４Ｌ」が設けられたものとなっている。
図１０に示すように、主動作体４Ｈ，第１副動作体４Ｋ，４Ｌ、第２副動作体４Ｊに対し、カバー体１２は、主動作体４Ｈや第２副動作体４Ｊだけを個別に覆うようにした枕カバータイプ（符号１２Ｃ，１２Ｄ）を採用することが可能である。この場合、温風や冷風が吹き出すスリット状の吹き出し口２５は、主動作体４Ｈ及び第２副動作体４Ｊのまわりであって、カバー体１２Ｃ，１２Ｄの裏面側（二重構造の間）となるような振動盤上の位置に設けられなくてはならない。
【００２８】
図１１の如く、主動作体４Ｈ，第１副動作体４Ｋ，４Ｌ、第２副動作体４Ｊに対し、カバー体１２は、主動作体４Ｈ，第１副動作体４Ｋ，４Ｌ、第２副動作体４Ｊを全体として覆うようにした一体成型タイプ（符号１２Ｅ）を採用することが可能である。
なお、その他の構成や作用効果、及び変形実施例への展開などに関しては第１、第２実施形態の場合と同様であり、ここでの詳説は省略する。
［第４実施形態］
図１２、図１３は、本発明に係る据置型の温熱マッサージ機１の第４実施形態を示している。
【００２９】
第４実施形態の温熱マッサージ機１は、カバー体１２の細部構造を除き、基本的には第１実施形態で説明したもの（図１〜図４参照）と略同じであって、マッサージ機構２とケーシング３と動作体４とを有し、このうち動作体４は、互いに所定間隔をおいて配置された左右一対の主動作体４Ａ，４Ｂと、これらの両外側に配置された左右一対の副動作体４Ｃ，４Ｄとを有している。
第４実施形態のカバー体１２は、ケーシング３における表面の一部を覆うようになったもので、主動作体４Ａ，４Ｂ、副動作体４Ｃ，４Ｄに対し、カバー体１２は、主動作体４Ａ，４Ｂだけを個別に覆うようにしている。この場合、温風や冷風が吹き出す吹き出し口２５は、主動作体４Ａ，４Ｂのまわりであって、カバー体１２Ｅの内側となるような位置に設けられなくてはならない。
【００３０】
なお、図１３から明かなように、主動作体４Ａ，４Ｂにはそれぞれ、それらの上方を覆うようにしてマッサージ機構２の構成に含まれる動作カバー４０（マッサージ部を構成するカバー体）が設けられている。そのため、カバー体１２はこの動作カバー４０の更に上方を覆う状態となっている。
すなわち、主動作体４Ａ，４Ｂを基準にしてその上方の構造を説明すれば、これら主動作体４Ａ，４Ｂが二重構造のカバー（動作カバー４０とカバー体１２）とで覆われ、これら二重のカバー間（二重構造の間）に温冷風供給部１３（図１３中のダクト２０参照）からの温風又は冷風が供給されるような状態となっている、と言うことができる。
【００３１】
なお、カバー体１２は、図１４に示すように、個々の主動作体４Ａ，４Ｂを各個別に覆うように設ける（主動作体４Ａ，４Ｂに１対１対応でカバー体１２を設ける）こともできる。
［第５実施形態］
図１５は、本発明に係る据置型の温熱マッサージ機１の第５実施形態を示している。
第５実施形態の温熱マッサージ機１は、カバー体１２の細部構造を除き、基本的には第１実施形態で説明したもの（図１〜図４参照）と略同じであって、マッサージ機構２とケーシング３と動作体４とを有し、このうち動作体４は、互いに所定間隔をおいて配置された左右一対の主動作体４Ａ，４Ｂと、これらの両外側に配置された左右一対の副動作体４Ｃ，４Ｄとを有している。
【００３２】
第５実施形態のカバー体１２は、ケーシング３における表面の一部を覆うようになったもので、主動作体４Ａ，４Ｂ、副動作体４Ｃ，４Ｄに対し、カバー体１２は、主動作体４Ａ，４Ｂは覆わず（上方に開放露出させ）、副動作体４Ｃ，４Ｄだけを個別に覆うようにした異形タイプ（図例では穴あきタイプ）を採用している。この場合、温風や冷風が吹き出す吹き出し口２５は、副動作体４Ｃ，４Ｄのまわりであって、カバー体１２の内側となるような位置に設けられなくてはならない。
［第６実施形態］
図１６は、本発明に係る据置型の温熱マッサージ機１の第６実施形態を示している。
【００３３】
第６実施形態の温熱マッサージ機１は、ケーシング３の細部構造を除き、基本的には第２実施形態で説明したもの（図９参照）と略同じであって、マッサージ機構２とケーシング３と動作体４とを有し、このうち動作体４は、枕型の大きな膨らみを持った主動作体４Ｅと、この左右両側で足底型に配置された副動作体４Ｆ，４Ｇとを有している。
ただ、副動作体４Ｆ，４Ｇが配置された振動盤８は、ケーシング３の表面略全体を覆うものではなく、主動作体４Ｅの前後左右を所定範囲で取り囲む大きさに制限されたものとなっている。
【００３４】
また、ケーシング３は、主動作体４Ｅ、及び副動作体４Ｆ，４Ｇに対してそれらの前方へ張り出すような形体で形成されており、その結果、ケーシング３の表面は、主動作体４Ｅ、及び副動作体４Ｆ，４Ｇが設けられているマッサージ部５と、このマッサージ部５の前方に隣接する非マッサージ部６（主動作体４Ｅ、及び副動作体４Ｆ，４Ｇが設けられていない部分）とを有したものとなっている。
このようなケーシング３に対し、第６実施形態のカバー体１２は、マッサージ部５及び非マッサージ部６を全体として覆う配置で設けられている。
【００３５】
このような構成であると、使用者は、マッサージ部５（主動作体４Ｅ、又は副動作体４Ｆ，４Ｇ）にてマッサージを受けた後の休憩時、又はマッサージを受ける前の準備段階などに、非マッサージ部６へ身体の一部（足など）を移動させ、温めたり冷やしたりするということができる。
勿論、マッサージ部５を使用しないときでも、単なる温め効果や冷やし効果を得るためのものとして、この温熱マッサージ機１を使用することもできる。
［第７実施形態］
図１７は、本発明に係る据置型の温熱マッサージ機１の第７実施形態を示している。
【００３６】
第７実施形態の温熱マッサージ機１は、カバー体１２が非マッサージ部６のみを覆う配置で設けられている点を除き、第６実施形態（図１６参照）と略同じである。
なお、第６実施形態ではカバー体１２がマッサージ部５と非マッサージ部６とを両方覆う配置とされ、第７実施形態ではカバー体１２が非マッサージ部６だけを覆う配置とされたものとして説明しているが、カバー体１２がマッサージ部５だけを覆う配置として設けることもできる。また第１実施形態〜第６実施形態では、カバー体１２がマッサージ部５だけを覆う配置として設けられた例と言うことができる。
【００３７】
本発明は、上記各実施形態以外にも、実施の形態に応じて部材形状、構造、材質など適宜変更可能なものである。
例えば、操作スイッチなどをリモコンに集約させるなどすれば、ケーシング３における表面全体を完全に覆う状態でカバー体１２を設けることができる。
カバー体１２の内側温度や表面温度、或いは温冷風供給部１３の作動時間などを考慮して、装置自体の過熱や使用者側の低温火傷などへの注意喚起を促すべく、表示や音声で報知するシステムを採用することができる。例えば、カバー体１２において、熱で色の変わる素材を一部又は全部に使用して、使用状態（加熱状態）が視認できるような構成とさせてもよい。
【００３８】
また、小型マッサージ機を例示して説明を行ったが、図１，図８，図１０のマッサージ機を手で持った上で使用者に対しマッサージを施術することは可能である。したがって、本発明に係るマッサージ機は、手で持った上で使用されるハンディタイプのマッサージ機を除外するものではない。
つまり、今回開示された実施形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００３９】
【図１】本発明に係る小型マッサージ機の第１実施形態を示した斜視図である。
【図２】本発明に係る小型マッサージ機の第１実施形態を示した斜視図である。
【図３】図２のＡ−Ａ線矢視に対応させて描いた一部破砕正面図である。
【図４】カバー体の外周部（排気口周辺）を拡大して示した斜視断面図である。
【図５】カバー体の外周部（排気口周辺）を拡大して示した斜視断面図である（変形例）。
【図６】図２のＡ−Ａ線矢視に対応させて描いた一部破砕正面図である（変形例）。
【図７】図２のＡ−Ａ線矢視に対応させて描いた一部破砕正面図である（変形例）。
【図８】本発明に係る小型マッサージ機の第２実施形態を示した斜視図である。
【図９】本発明に係る小型マッサージ機の第２実施形態を示した斜視図である。
【図１０】本発明に係る小型マッサージ機の第３実施形態を示した斜視図である。
【図１１】本発明に係る小型マッサージ機の第３実施形態を示した斜視図である。
【図１２】本発明に係る小型マッサージ機の第４実施形態を示した斜視図である。
【図１３】第４実施形態の主動作体まわりを示した正面断面図である。
【図１４】第４実施形態の主動作体まわりを示した正面断面図である（変形例）。
【図１５】本発明に係る小型マッサージ機の第５実施形態を示した斜視図である。
【図１６】本発明に係る小型マッサージ機の第６実施形態を示した斜視図である。
【図１７】本発明に係る小型マッサージ機の第７実施形態を示した斜視図である。
【符号の説明】
【００４０】
１    小型マッサージ機（温熱マッサージ機）
２    マッサージ機構
３    ケーシング
４    動作体
４Ａ，４Ｂ    主動作体（第１実施形態）
４Ｃ，４Ｄ    副動作体（第１実施形態）
４Ｅ    主動作体（第２実施形態）
４Ｆ，４Ｇ    副動作体（第２実施形態）
４Ｈ    主動作体（第３実施形態）
４Ｊ    第１副動作体  （第３実施形態）
４Ｋ，４Ｌ    第２副動作体（第３実施形態）
５    マッサージ部
６    非マッサージ部
１２    カバー体
１３    温冷風供給部
２７    排気口
３０    隙間
３１    排気部
【図１】
2009268628.tif 000003
【図２】
2009268628.tif 000004
【図３】
2009268628.tif 000005
【図４】
2009268628.tif 000006
【図５】
2009268628.tif 000007
【図６】
2009268628.tif 000008
【図７】
2009268628.tif 000009
【図８】
2009268628.tif 000010
【図９】
2009268628.tif 000011
【図１０】
2009268628.tif 000012
【図１１】
2009268628.tif 000013
【図１２】
2009268628.tif 000014
【図１３】
2009268628.tif 000015
【図１４】
2009268628.tif 000016
【図１５】
2009268628.tif 000017
【図１６】
2009268628.tif 000018
【図１７】
2009268628.tif 000019